【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
（ａ）複数の壁と、
（ｂ）ホストコンピュータに接続するためのデジタルデータコネクタと、
（ｃ）周辺装置からの無線通信を受信する内蔵の無線データ受信器であって、前記デジタルデータコネクタを使用して前記ホストコンピュータと通信することができ、且つ、前記デジタルデータコネクタを使用して前記ホストコンピュータから電力の供給を受けることができる、前記内蔵の無線データ受信器と
を備えている英数字キーボードであって、
（ｄ）前記複数の壁の１つが、無線マウス用のドッキングステーションを備えており、
（ｅ）前記ドッキングステーションが、非接触誘導充電器の一次コイルを備えており、前記一次コイルが、前記デジタルデータコネクタによって電力の供給を受けることができ、
（ｆ）前記周辺装置が、前記充電器の二次コイルを備えている無線マウスを備えており、前記充電器が、前記無線マウスの中の少なくとも１つの充電可能なバッテリーを充電するためのものである、英数字キーボード。
【請求項２】
前記デジタルデータコネクタが、ＵＳＢコネクタとＩＥＥＥ  １３９４コネクタとから成る群から選択される、請求項１に記載の英数字キーボード。
【請求項３】
少なくとも１つの内蔵の機能構成要素が、カードリーダー、無線データ受信器及び音声回路から成る群から選択される、請求項１に記載の英数字キーボード。
【請求項４】
前記カードリーダーが、データの伝送、データの記憶、マルチメディアファイルの再生、マルチメディアデータの伝送及びマルチメディアデータの記憶のうちの少なくとも１つを目的として、前記ホストコンピュータと連携して使用される不揮発性メモリデバイス用である、請求項３に記載の英数字キーボード。
【請求項５】
前記不揮発性メモリデバイスが、Ｆｌａｓｈメモリカード、Ｓｅｃｕｒｅ  Ｄｉｇｉｔａｌメモリカード、ＭｕｌｔｉＭｅｄｉａカード、Ｃｏｍｐａｃｔ  Ｆｌａｓｈカード、Ｍｅｍｏｒｙ  Ｓｔｉｃｋ、Ｍｅｍｏｒｙ  Ｓｔｉｃｋ  Ｐｒｏ、Ｍｉｃｒｏｄｒｉｖｅ及びＳｍａｒｔＭｅｄｉａメモリカードから成る群から選択される、請求項４に記載の英数字キーボード。
【請求項６】
前記カードリーダーが無線周波数カードリーダーから成る、請求項５に記載の英数字キーボード。
【請求項７】
（ａ）少なくとも１つの外部構成要素から受信されるデータを、前記デジタルタコネクタを使用して前記ホストコンピュータに伝達することを可能にするよう、前記少なくとも１つの外部構成要素と協働する少なくとも１つの内蔵の機能構成要素
をさらに備えており、
（ｂ）前記内蔵の機能構成要素が、前記デジタルデータコネクタを使用して前記ホストコンピュータから電力の供給を受けることができ、前記外部構成要素が、前記ホストコンピュータと前記英数字キーボードのいずれに対しても外部にある、請求項１に記載の英数字キーボード。
【請求項８】
複数の英数字キーと、自動モードにおいて動作することができる少なくとも１つの内蔵マイクロフォンとを有する英数字キーボードであって、
前記複数の英数字キーの少なくとも１つが作動された時点で、前記少なくとも１つの内蔵マイクロフォンが、タイマーによって制御される所定の期間だけミュートされ、前記所定の期間がタイマーによって制御される、英数字キーボード。
【請求項９】
間隔をあけて配置されている複数のマイクロフォンが前記英数字キーボードに存在している、請求項８に記載の英数字キーボード。
【請求項１０】
前記英数字キーの前記少なくとも１つが作動される結果としてのスキャンコードを生成するキーボードドライバが設けられており、
前記スキャンコードが、プロセッサが前記少なくとも１つのマイクロフォンからの音声ラインをミュートすることができるように、前記プロセッサによって検出可能であり、
前記所定の期間の終了時に、前記プロセッサが、前記音声ラインの前記ミュートを無効にすることによって前記少なくとも１つのマイクロフォンを使用可能にする、請求項８に記載の英数字キーボード。
【請求項１１】
前記所定の期間内に前記英数字キーの少なくとも１つがさらに作動される結果としてのさらなるスキャンコードを前記プロセッサが検出した時点で、前記タイマーが前記所定の期間をリセットする、請求項１０に記載の英数字キーボード。
【請求項１２】
前記少なくとも１つの内蔵のマイクロフォンが、前記英数字キーの前記少なくとも１つが作動されたことを検出して音声構成要素をミュートし、前記所定の期間の終了時に、前記ミュート機能を無効にすることによって前記少なくとも１つのマイクロフォンが使用可能になる、請求項８に記載の英数字キーボード。
【請求項１３】
前記音声構成要素が、音声ライン、デジタル増幅器、アナログ音声構成要素及びデジタル音声構成要素から成る群から選択される、請求項１２に記載の英数字キーボード。
【請求項１４】
キーが押されるときの音が望ましい音声入力として処理されることを防止するために信号の処理を遅延させることを目的とするバッファを有する、請求項１２に記載の英数字キーボード。
【請求項１５】
キーが押されるときの音が検出された時点で、前記バッファの内容がクリアされてミュートが行われる、請求項１４に記載の英数字キーボード。
【請求項１６】
前記少なくとも１つのマイクロフォンが、前記所定の期間内に前記英数字キーの少なくとも１つがさらに作動されたことを検出した時点で、前記タイマーが前記所定の期間をリセットする、請求項１２に記載の英数字キーボード。
【請求項１７】
前記所定の期間が１０ミリ秒〜１０秒の範囲内である、請求項８に記載の英数字キーボード。
【請求項１８】
エコーキャンセラーをさらに備えている、請求項８に記載の英数字キーボード。
【請求項１９】
前記少なくとも１つのマイクロフォンの動作を制御するスイッチをさらに備えている、請求項８に記載の英数字キーボード。
【請求項２０】
前記スイッチが、物理的なスイッチであり、且つ、前記スイッチの動作モードを示すＬＥＤディスプレイを有する、請求項１９に記載の英数字キーボード。
【請求項２１】
ホストコンピュータに接続するためのデジタルデータコネクタをさらに含んでいる、請求項８に記載の英数字キーボードであって、
少なくとも１つの外部構成要素から受信されるデータを、前記デジタルタコネクタを使用して前記ホストコンピュータに伝達することを可能にするよう、前記少なくとも１つの外部構成要素と協働する少なくとも１つの内蔵の機能構成要素を有し、前記少なくとも１つの内蔵の機能構成要素が、前記デジタルデータコネクタを使用して前記ホストコンピュータから電力の供給を受けることができる、英数字キーボード。
【請求項２２】
前記少なくとも１つの内蔵の機能構成要素が、カードリーダー、無線データ受信器及び充電器の一次コイルから成る群から選択される、請求項２１に記載の英数字キーボード。
【請求項２３】
受け取った直流電力を自身に供給するためのデジタルデータコネクタを有する英数字キーボードであって、
前記受け取った直流電力を一次周波数の一次交流電力に変換するインバータと、
前記キーボードの壁のすぐ横に位置している一次コイルであり、前記一次交流電力が自身に印加されるようにされている、前記一次コイルと
を備えており、
前記一次コイルが、無線マウスの中に位置している二次コイルが前記一次コイルに近づいたときに、前記二次コイルに渦電流を発生させることができ、これによって、前記二次コイルの両端に二次電圧が発生し、前記無線マウスの中の少なくとも１つのバッテリーを非接触誘導充電によって充電することが可能である、英数字キーボード。
【請求項２４】
前記一次コイルが中空コアを有する、請求項２３に記載の英数字キーボード。
【請求項２５】
前記一次コイルが前記中空コアの中にフェライト棒を有する、請求項２４に記載の英数字キーボード。
【請求項２６】
前記一次コイルが前記壁に垂直であり、表面連結充電を目的として、前記フェライト棒が前記壁から突き出している、請求項２５に記載の英数字キーボード。
【請求項２７】
前記二次コイルが中空コアを有する、請求項２３に記載の英数字キーボード。
【請求項２８】
前記一次コイルが、表面密結合充電を目的として、前記壁に平行であり、前記二次コイルが、前記一次コイルの端部の隣に位置している端部を有し、前記一次コイルと前記二次コイルとが重なっていない、請求項２３に記載の英数字キーボード。
【請求項２９】
前記一次周波数が可聴範囲より高い、請求項２３に記載の英数字キーボード。
【請求項３０】
前記一次周波数が２０ＫＨｚ〜２５ＫＨｚの範囲内である、請求項２９に記載の英数字キーボード。
【請求項３１】
前記二次電圧が、充電することができるように直流に変換される、請求項２３に記載の英数字キーボード。
【請求項３２】
前記マウスの前部を受け入れるためのサイズ及び形状を有するくぼみを側壁に有する、請求項２３に記載の英数字キーボードであって、
前記くぼみが壁を有し、前記一次コイルが前記壁に隣接しており、前記二次コイルが前記マウスの前記前部の中に位置している、英数字キーボード。
【請求項３３】
前記くぼみが、前記マウスを置いておくことのできる棚を有する、請求項３２に記載の英数字キーボード。
【請求項３４】
当該英数字キーボードの前記壁が側壁であり、前記マウスがマウス壁を有し、前記マウス壁が前記側壁と接触することができ、前記二次コイルが前記マウス壁に隣接している、請求項２３に記載の英数字キーボード。
【請求項３５】
前記壁が前記英数字キーボードの上面であり、前記上面にドッキングステーションが設けられており、前記一次コイルが前記ドッキングステーションの下に位置しており、前記二次コイルが前記マウスの底面の上に位置している、請求項２３に記載の英数字キーボード。